(57)【要約】【課題】本来の大小がある重ね鏡餅としての外形を失せることがない包装容器とすることができ、しかも内部に充填した餅を簡単に取り出すことができるようにする。【解決手段】底部の開口部２から餅Ｐを充填収納する中空の飾り鏡餅用の容器本体１を左右に分割可能となるよう当該容器本体１の頂部を通って容器本体１の開口部２縁に至るように延びる並列一対の溝条４ａ，４ｂによって挟んでなる開裂帯条部４を容器本体１に備える。開裂帯条部４両側の溝条４ａ，４ｂは、容器本体１の内側面に凹状に形成し、開裂帯条部４には、容器本体１の頂部に対応した当該開裂帯条部４の中間部分に開裂円形部５を備え、該開裂円形部５の内面には、充填収納する餅Ｐに食い込み可能とした切断案内溝部形成用突条６を形成する。開裂帯条部４の一端もしくは両端は、開口部２縁に延設した環状縁部３から破断して取っ手となる取っ手成形部７に連結する。【選択図】図１
2009029508.tif 000002
【特許請求の範囲】
【請求項１】
外周面が外側に湾曲突出した湾曲突出部が括れ部を介して上下方向に連設形成された外形状の重ね鏡餅に模した容器本体からなり、底部の開口部から餅が充填収納、密封される中空の飾り鏡餅用包装容器であって、容器本体自体が分割可能となるよう当該容器本体の頂部を通って容器本体の開口部縁に至るように延びる並列一対の溝条によって挟まれてなる開裂帯条部を容器本体に備えてなることを特徴とする飾り鏡餅用包装容器。
【請求項２】
開裂帯条部両側の溝条は、容器本体の容器壁の内側面に凹状に形成されてなる請求項１記載の飾り鏡餅用包装容器。
【請求項３】
開裂帯条部には、容器本体の頂部に対応した当該開裂帯条部の中間部分に開裂円形部を備え、該開裂円形部の内側面には、充填収納される餅に食い込み可能とした切断案内溝部形成用突条を備えた請求項１または２記載の飾り鏡餅用包装容器。
【請求項４】
開裂帯条部の一端もしくは両端は、開口部縁に延設された環状縁部から破断して取っ手となる取っ手成形部に連結されている請求項１乃至３のいずれか記載の飾り鏡餅用包装容器。
【請求項５】
外周面が外側に湾曲突出した湾曲突出部が括れ部を介して上下方向に連設形成された外形状の重ね鏡餅に模した容器本体からなり、底部の開口部から餅が充填収納、密封される中空の飾り鏡餅用包装容器であって、容器本体自体が分割可能となるよう当該容器本体の頂部を通って容器本体の開口部縁に至るように延びる並列一対の溝条によって挟まれてなる開裂帯条部と、容器本体の頂部に対応した開裂帯条部の中間部分に連設され、充填収納される餅に食い込み可能とした切断案内溝部形成用突条を内側面に備えてなる開裂円形部と、開裂帯条部の一端もしくは両端に連設され、開口部縁に延設された環状縁部から破断して取っ手となる取っ手成形部とを備えてなることを特徴とする飾り鏡餅用包装容器。
【発明の詳細な説明】
【技術分野】
【０００１】
本発明は、本来の鏡餅としての重ねられた大小がある外形を失せることなく、内部に充填密封されている餅を、それが凝固された状態となっていても簡単に取り出し可能な充填タイプの飾り鏡餅用包装容器に関する。
【背景技術】
【０００２】
正月には餅を飾ることで新年を祝うために、その大小の餅を重ね合わせたようになる飾り重ね餅の形態となして内部に餅を充填密封した飾り餅が提供されている。すなわち、外周面が外側に湾曲突出した湾曲突出側周部が中間の谷部を介して上下方向に複数で連設形成された外形状となるよう重ね鏡餅に模した中空の包装容器を形成し、該包装容器の下方の開口部から餅を充填収納した構成の飾り鏡餅包装容器が多数提供されている。
【０００３】
ただ、このような餅を充填密封して飾り鏡餅とする飾り鏡餅用包装容器は、飾る期間が経過した後に内部の餅を取り出すには包丁その他の切断具によって切断して包装容器自体を分断し、中の餅を取り出さなければならないが、包装容器を分断すること自体が非常に厄介である。
【０００４】
こうした点から、内部の凝固化された餅を簡単に取り出せるように、例えば、特許文献１および特許文献２に開示されているように、鏡餅容体の肉厚を一定として内外面の形状を同一とせず、少なくとも湾曲突出側周部の肉厚が一定ならば下方の開口部から餅を引き出しもしくは押し出し排出することを阻止するアンダーカット部となる部分の肉厚を設定して肉厚調整部を形成した飾り鏡餅なる技術が存在する。
【０００５】
すなわち、この肉厚調整部は、この内周面が外周面と同じく外側に湾曲せず且つ下方の開口部へ向かう程内径が狭まる下細り内周面を有さずに、この肉厚調整部の内周面が下方の開口部に向かって内径が一定となるストレート内周面もしくは下方の開口部へ向かって内径が広くなる下広がり内周面となる肉厚に設定し、この鏡餅容体の内周面または少なくとも前記肉厚調整部の内周面もしくは肉厚調整部以外の内周面に多数の微細な凹凸を設けた構成とし、前記充填収納した餅を前記鏡餅容体から前記下方の開口部を取り出し口として餅を破壊せずにそっくり押し出しもしくは引き出し排出自在となるように構成されている。
【特許文献１】特開２００７−８０５９号公報
【特許文献２】特開２００６−２９６３４７号公報
【発明の開示】
【発明が解決しようとする課題】
【０００６】
しかしながら、上述した従来の包装容器においては、鏡餅容器体の肉厚調整部によって、当該容器内に充填される餅自体の外形状も外側に湾曲せず且つ下方の開口部へ向かう程内径が狭まる下細り内周面を有さずに形成されることから、鏡餅容器体から下方の開口部を取り出し口として餅を破壊せずにそっくり取り出せるにしても、外観上において本来の鏡餅としての大小ある餅を重ね合わせ、その境界に生じている括れ部分がある、本来の外形を失せるものとなるという問題点を有していた。
【０００７】
そこで、本発明は叙上のような従来存した諸事情に鑑み創案されたもので、本来の重ね鏡餅としての大小がある外形を失せることなく、上下に重ねられた写実的な外形を呈する包装容器としながらも、包装容器自体を容易に分断可能にすることで包装容器内に充填した餅を、凝固化された状態であっても簡単に取り出すことができる飾り鏡餅用包装容器を提供することを目的とする。
【課題を解決するための手段】
【０００８】
上述した課題を解決するため、本発明にあっては、外周面が外側に湾曲突出した湾曲突出部１ａ，１ｂが括れ部１ｃを介して上下方向に連設形成された外形状の重ね鏡餅に模した容器本体１からなり、底部の開口部２から餅Ｐが充填収納、密封される中空の飾り鏡餅用包装容器であって、容器本体１自体が分割可能となるよう当該容器本体１の頂部を通って容器本体１の開口部２縁に至るように延びる並列一対の溝条４ａ，４ｂによって挟まれてなる開裂帯条部４を容器本体１に備えてなるものである。
開裂帯条部４両側の溝条４ａ，４ｂは、容器本体１の容器壁の内側面に凹状に形成されてなるものとすることができる。
開裂帯条部４には、容器本体１の頂部に対応した当該開裂帯条部４の中間部分に開裂円形部５を備え、該開裂円形部５の内側面には、充填収納される餅Ｐに食い込み可能とした例えば十文字状もしくは放射状配列とした切断案内溝部形成用突条６を備えたものとすることができる。
開裂帯条部４の一端もしくは両端は、開口部２縁に延設された環状縁部３から破断して取っ手となる取っ手成形部７に連結されているものとすることができる。
また、具体的には、外周面が外側に湾曲突出した湾曲突出部１ａ，１ｂが括れ部１ｃを介して上下方向に連設形成された外形状の重ね鏡餅に模した容器本体１からなり、底部の開口部２から餅Ｐが充填収納、密封される中空の飾り鏡餅用包装容器であって、容器本体１自体が分割可能となるよう当該容器本体１の頂部を通って容器本体１の開口部２縁に至るように延びる並列一対の溝条４ａ，４ｂによって挟まれてなる開裂帯条部４と、容器本体１の頂部に対応した開裂帯条部４の中間部分に連設され、充填収納される餅Ｐに食い込み可能とした切断案内溝部形成用突条６を内側面に備えてなる開裂円形部５と、開裂帯条部４の一端もしくは両端に連設され、開口部２縁に延設された環状縁部３から破断して取っ手となる取っ手成形部７とを備えてなるものとすることができる。
【０００９】
以上のように構成された本発明に係る飾り鏡餅用包装容器にあって、開裂帯条部４は、容器本体１の頂部を通り開口部２縁に至る細帯状の引き裂き除去される分割切離部分を形成しているので、端部側から手で強制的に容器本体１から引き剥がすことで、頂部を通る直径方向に沿って当該容器本体１を左右に分割させる。
容器本体１の容器壁の内側面に凹設形成されてなる開裂帯条部４両側の溝条４ａ，４ｂは、容器本体１内に充填された餅Ｐの表面を開裂帯条部４側に食い込み状に保持させ、密接させる。
開裂帯条部４の中間部分に形成された開裂円形部５内側面に設けた切断案内溝部形成用突条６は、容器本体１内に充填収納された餅Ｐに食い込み状となって保持されることにより、容器本体１の頂部内面と餅Ｐとの間に隙間を生じさせない。しかも、容器本体１内から餅Ｐを取り出した際には、切断案内溝部形成用突条６によって形成された例えば十文字状もしくは放射状の溝条１０が餅Ｐの頂部に現れ、餅Ｐを切断する際の包丁等の刃先を位置決めさせることで切断作業を容易にさせる。
開裂帯条部４の一端もしくは両端にある取っ手成形部７は、開口部２縁に延設された環状縁部３から破断することで取っ手となって分離され、開裂帯条部４の端部側からの容器本体１からの引き剥がしを容易にさせる。
【発明の効果】
【００１０】
本発明によれば、本来の重ね鏡餅としての価値を失せることなく、大小がある重ね餅としての外形を写実的に保持しながら、容器本体１内部に充填密封され、凝固化された餅Ｐを、容器本体１自体をこの容器本体１から引き剥がす開裂帯条部４によって分断することで簡単に取り出すことができる。
【００１１】
すなわち、これは本発明が、容器本体１の頂部を通って容器本体１の開口部２縁に至るように延びる並列一対の溝条４ａ，４ｂによって挟まれてなる開裂帯条部４を容器本体１に備えているからであり、これにより、開裂帯条部４を端部側から手で強制的に引き剥がすことで、容器本体１の頂部を通る直径方向に沿って当該容器本体１を左右に分割することができる。しかも、このように容器本体１自体を分割することで内部の餅Ｐを、これが凝固化された状態でも簡単、容易に取り出すことができる。そのため、従来にあっては、容器内に充填することで重ね飾り餅とするには上下で大小がある区画部位とさせる小径な括れを形成した場合では、底部の開口部から餅Ｐの全部を取り出すのが困難であった点を解消でき、容器本体１の外形も小径な括れを有するような実際上の重ね飾り餅の写実的な外形とすることができる。
【００１２】
開裂帯条部４両側の溝条４ａ，４ｂは、容器本体１の容器壁の内側面に凹状に形成されてなるので、容器本体１内に充填された餅Ｐの表面に開裂帯条部４両側の溝条４ａ，４ｂが食い込み状に保持され、容器本体１内面と餅Ｐとの間に隙間を生じさせないことと、容器本体１の表面に溝条４ａ，４ｂが現れないことから、容器本体１による重ね鏡餅としての見栄えを損なうことがない。
【００１３】
開裂帯条部４には、容器本体１の頂部に対応した当該開裂帯条部４の中間部分に開裂円形部５を備え、該開裂円形部５の内側面には、充填収納される餅Ｐに食い込み可能とした切断案内溝部形成用突条６を備えたので、容器本体１内に充填収納された餅Ｐは切断案内溝部形成用突条６により食い込み状となって保持されることから、容器本体１の頂部内側面と餅Ｐとの間に隙間を生じさせないものとなり、容器本体１から取り出された重ね鏡餅状の餅Ｐの上段側における円形状膨らみによる見栄えを損なうことがない。しかも、容器本体１内から餅Ｐを取り出した際には、切断案内溝部形成用突条６によって例えば十文字状もしくは放射状の溝条１０が餅Ｐの頂部に形成されることから、餅Ｐを切断するに際し、この溝条１０が包丁の刃先を位置決めさせ、溝条１０に沿って包丁で切り込むことで切断が容易となる。
【００１４】
開裂帯条部４の一端もしくは両端は、開口部２縁に延設された環状縁部３から破断して取っ手となる取っ手成形部７に連結されているので、この取っ手成形部７自体を環状縁部３から破断することで取っ手となって分離されることから、開裂帯条部４の端部側からの容器本体１からの引き剥がしが容易に行える。
【００１５】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１６】
以下、図面を参照して本発明を実施するための最良の一形態を説明する。図において示される符号１は、例えば射出成形等により大小がある上下二段の重ね鏡餅形状に成形した例えば硬質のポリプロピレン等の合成樹脂製によって形成され、餅Ｐが充填収納、密閉される容器本体である。
【００１７】
すなわち、容器本体１は、図１に示すように、その外周面が外側に湾曲突出した湾曲突出部１ａ，１ｂが括れ部１ｃを介して上下方向に連設形成された外形状を呈する重ね鏡餅に模した中空の容器となって形成されている。尚、上部の湾曲突出部１ａは下部の湾曲突出部１ｂに比し小径に形成されていて、括れ部１ｃは上部に位置される湾曲突出部１ａの最大径部分に比し小径に形成されている。すなわち、本発明においては、後述の開口部２から内部の餅Ｐを取り出すものとせず、容器本体１自体を分割するものとするから、このような小径な括れ部１ｃとしても内部の餅Ｐを取り出すのに何ら障害とならず、むしろ小径な括れ部１ｃとすることで実際の重ね餅の外形を写実的に実現できる。
【００１８】
また、容器本体１の底部は開口部２によって開放されており、当該開口部２から容器本体１内に餅Ｐが充填されることで、上下二段の重ね鏡餅形状となって形成され、時間経過によって内部収納の餅Ｐは凝固化された状態となる。
【００１９】
そして、容器本体１の開口部２には環状縁部３が水平に延設されており、開口部２から容器本体１内への餅Ｐの充填後において、例えば透明な合成樹脂シート等の円形状のシール部材（図示せず）の周縁部を環状縁部３に貼り付けることで当該開口部２が封止され、容器本体１が密封されるものとしてある。
【００２０】
また、容器本体１の頂部を通る直径方向に沿って、すなわち開口部２における直径線が開口部２縁と交差する両縁部分を結ぶ湾曲突出部１ａ,１ｂ面上に沿う線に沿って、断面が略Ｖ字形もしくは略台形の凹状となった一対並列の溝条４ａ，４ｂによって挟まれてなる帯状の開裂帯条部４が形成されている。この割裂溝条部４両側の溝条４ａ，４ｂは、容器本体１の容器壁の内側面に凹状に形成されている（図１における右側拡大図参照）。
【００２１】
さらに、この開裂帯条部４の容器本体１の頂部に対応した中間部分には、当該開裂帯条部４の幅員よりも幅広の一対の円弧状溝条５ａ，５ｂによって挟まれてなる平面で円形状を呈する開裂円形部５が連設されており、溝条４ａ，４ｂは円弧状溝条５ａ，５ｂにそれぞれ接続されている。そして、開裂円形部５の内側面には、容器本体１内に充填収納される餅Ｐに食い込み可能とした例えば十文字状となった切断案内溝部形成用突条６を備えている。尚、この切断案内溝部形成用突条６を容器本体１の頂部を中心とした放射状に形成しても良く、開裂円形部５の内側面上に突設させることで形成してある（図１における右側拡大図参照）。
【００２２】
一方、環状縁部３の一端側位置もしくは両側対称位置には、相対向する一対の円弧状破断部８ａ，８ｂにより当該環状縁部３から破断可能とした取っ手成形部７が形成され、両円弧状破断部８ａ，８ｂは前記した開裂帯条部４両側の溝条４ａ，４ｂにそれぞれ連結している。この取っ手成形部７は、中央に環状縁部３に沿ったスリット部９が設けられており、環状縁部３から円弧状破断部８ａ，８ｂによって取っ手成形部７部分を破断した際には、取っ手成形部７が環状に拡がって開裂帯条部４の一端もしくは両端の取っ手となるようにしてある。
【００２３】
容器本体１内の餅Ｐの取り出しに際し、図２（ａ）乃至図２（ｄ）に示すように、開口部２の環状縁部３から取っ手成形部７を破断することで取っ手となって分離され、該取っ手によって開裂帯条部４を一端側から他端側に向けて容器本体１から強制的に引き剥がすことで、容器本体１が２つに分割されるものとなり、これによって内部の餅Ｐが重ね鏡餅としての形態を崩さずに取り出されるようにしてある。
【００２４】
尚、本形態においては、開裂帯条部４の他の例として、開裂帯条部４両側の溝条４ａ，４ｂを容器本体１の容器壁の外側面に凹状に形成しても良い。また、本形態においては、開裂帯条部４の中間には一対の円弧状溝条５ａ，５ｂによって挟まれてなる開裂円形部５が連設されているが、開裂帯条部４の中央に開裂円形部５を形成しない単一帯状のストレートな構成としても良い。また、開裂帯条部４自体の幅員の大きさは、本発明を何等限定するものではなく、種々の幅員を備えたものとしても良い。
【００２５】
溝条４ａ、４ｂを容器本体１の外側面に形成した場合は、容器本体１内に充填された餅Ｐの表面に溝条４ａ、４ｂによる食い込み線条痕を形成させないことから、取り出された餅Ｐの見栄えを損なうことがない。また溝条４ａ、４ｂは場合によっては容器壁の内外両側面に形成することも可能である。
【００２６】
次に、以上のように構成された最良の形態についての使用の一例について説明する。容器本体１内から餅Ｐを取り出す場合には、先ず、シール部材を開口部２から剥がしておく。また、図２（ａ）に示すように環状縁部３の一端側にある取っ手成形部７を破断することで取っ手を形成しておく。
【００２７】
そして、この取っ手を介して開裂帯条部４を一端側から他端側に至るまで容器本体１から強制的に引き剥がして取り外す。このとき、図２（ｂ）に示すように開裂帯条部４が環状縁部３側から頂部を通る直径方向に沿って順次開裂してゆく。こうして、図２（ｃ）に示すように容器本体１は左右２つに分割されることとなり、図２（ｄ）に示すように内部の餅Ｐが重ね鏡餅としての形態を崩さずに取り出されるのである。
【００２８】
餅Ｐの取り出し後には、餅Ｐの頂部には、容器本体１の切断案内溝部形成用突条６によって例えば十文字状の溝条１０が形成されているため、この溝条１０に沿って位置決めさせた包丁で切り込むことで当該包丁を滑らせることなく容易に餅Ｐを切断できる。
【図面の簡単な説明】
【００２９】
【図１】本発明を実施するための最良の形態における２つの一部拡大断面図を含む斜視図である。
【図２】同じく飾り鏡餅用包装容器の分割手順を示し、（ａ）は取っ手成形部を破断して取っ手を形成した状態の斜視図、（ｂ）は開裂帯条部を一端側から他端側に至るまで引き剥がした状態の斜視図、（ｃ）は包装容器が左右に分割した状態の斜視図、（ｄ）は包装容器から取り出された重ね鏡餅の斜視図である。
【符号の説明】
【００３０】
Ｐ…餅
１…容器本体                            １ａ，１ｂ…湾曲突出部
１ｃ…括れ部                            ２…開口部
３…環状縁部                            ４…開裂帯条部
４ａ，４ｂ…溝条                        ５…開裂円形部
５ａ，５ｂ…円弧状溝条                  ６…切断案内溝部形成用突条
７…取っ手成形部（取っ手）              ８ａ，８ｂ…円弧状破断部
９…スリット部                          １０…切断案内溝部
【図１】
2009029508.tif 000003
【図２】
2009029508.tif 000004